【手続補正書】
【提出日】平成19年1月30日(2007.1.30)
【手続補正１】
【補正対象書類名】明細書
【補正対象項目名】特許請求の範囲
【補正方法】変更
【補正の内容】
【特許請求の範囲】
【請求項１】  分離チャネルにおける種の分離のための感熱性媒体であって、該媒体は、少なくとも１つのセットのブロックコポリマーが溶解している電解質を含み、該ブロックコポリマーは、
・該電解質中で、温度Ｔ１で得られる粘性状態Ｖ１から、Ｔ１よりも少なくとも２０℃高い温度Ｔ２で得られる、Ｖ１より少なくとも１００％高い粘性状態Ｖ２へ可逆的に移行する能力を該媒体に付与するのに十分な濃度で与えられ、そして
・その構造中に、少なくとも
・該電解質中でＬＣＳＴを示し、かつその骨格に沿って５０より大きい平均原子数を有する、２つの非隣接ポリマーセグメントと、
・温度Ｔ１とＴ２で電解質に可溶性である１つのポリマーセグメント
とを含むことを特徴とする、上記媒体。
【請求項２】  温度Ｔ１が、１５℃〜３０℃であることを特徴とする、請求項１に記載の媒体。
【請求項３】  温度Ｔ２が、４０℃〜８０℃であることを特徴とする、請求項１または２に記載の媒体。
【請求項４】  粘性Ｖ２が粘性Ｖ１よりも、粘性Ｖ１の少なくとも５倍大きいことを特徴とする、請求項１〜３のいずれか１項に記載の媒体。
【請求項５】  ＬＣＳＴを有する該セグメントのかなりの部分のＬＣＳＴが、Ｔ１〜Ｔ２であることを特徴とする、請求項１〜４のいずれか１項に記載の媒体。
【請求項６】  ＬＣＳＴを有するすべてのセグメントが、コポリマーの全平均モル質量の２％〜２５％を占めることを特徴とする、請求項１〜５のいずれか１項に記載の媒体。
【請求項７】  ＬＣＳＴを有するブロックの全部または一部が、その骨格に沿って７５より大きい平均原子数、または２，５００より大きい平均分子量を有することを特徴とする、請求項１〜６のいずれか１項に記載の媒体。
【請求項８】  該ポリマーの全部または一部が、線形ブロックポリマーの形で存在することを特徴とする、請求項１〜７のいずれか１項に記載の媒体。
【請求項９】  該ポリマーの全部または一部が、骨格が、温度Ｔ１とＴ２で電解質に可溶性である１つまたはそれ以上のセグメントからなる、櫛形コポリマーの形で存在することを特徴とする、請求項１〜７のいずれか１項に記載の媒体。
【請求項１０】  コポリマーの全部または一部が、２より大きい、ＬＣＳＴを有するセグメントの鎖あたりの平均数を有することを特徴とする、請求項１〜９のいずれか１項に記載の媒体。
【請求項１１】  コポリマーの全部または一部が、３０，０００より大きい分子量、または主骨格に沿って２，０００より大きい原子数を有することを特徴とする、請求項１〜１０のいずれか１項に記載の媒体。
【請求項１２】  コポリマーの全部または一部が、５０，０００〜３，０００，０００の分子量、または主骨格に沿って２，５００〜１００，０００の原子数を有することを特徴とする、請求項１〜１１のいずれか１項に記載の媒体。
【請求項１３】  コポリマーの全部または一部が、可溶性セグメントとＬＣＳＴを有するセグメントとの２個の連続する結合点の間に、可溶性セグメントのセクションに沿って、２１０より大きい平均原子数を有することを特徴とする、請求項１〜１２のいずれか１項に記載の媒体。
【請求項１４】  請求項１〜１３のいずれか１項に記載の媒体であって、該ＬＣＳＴを有するポリマーセグメントの全部または一部が、
・ポリビニルアルキルエーテル、
・ヒドロキシアルキルセルロース、
・エーテルオキシドのホモポリマー、
・エーテルオキシドのランダムおよびブロックコポリマー、
・アルキレンホモ−およびコポリマー、並びに
・アクリル酸およびメタクリル酸、アルキルアクリレートおよびメタクリレート、Ｎ−アルキル−アクリルアミドまたは−メタクリルアミド、Ｎ’，Ｎ−ジアルキル−アクリルアミドまたは−メタクリルアミド、アリール−アクリルアミドまたは−メタクリルアミド、およびアルキルアリール−アクリルアミドまたは−メタクリルアミドから選択されるモノマーのホモ重合または共重合から得られるポリアクリル酸誘導体
から選択される１つまたはそれ以上のコポリマーから誘導されることを特徴とする、上記媒体。
【請求項１５】  請求項１〜１４のいずれか１項に記載の媒体であって、温度Ｔ１およびＴ２で可溶性のポリマーセグメントが、ポリエーテル、ポリエステル、ポリオキシアルキレンの可溶性ランダムコポリマーおよびホモポリマー、多糖類、ポリビニルアルコール、ポリビニルピロリドン、ポリウレタン、ポリアミド、ポリスルホンアミド、ポリスルホキシド、ポリスチレンスルホネート、該電解質に可溶性である置換または非置換ポリアクリルアミドまたはポリメタクリルアミドから選択される、少なくとも１つのポリマーからなることを特徴とする、上記媒体。
【請求項１６】  請求項１〜１５のいずれか１項に記載の媒体であって、コポリマーが、
・骨格が、アクリルアミド、アクリル酸、アクリロイルアミノエタノールまたはジメタクリルアミドを含む型のものであり、その上に、ポリ（Ｎ−アルキルまたはＮ，Ｎ−ジアルキル）アクリルアミド型の側枝セグメント、またはランダムもしくはブロックのポリオキシエチレン／オキシプロピレンコポリマーもしくはポリオキシプロピレン型の側枝セグメント、またはポリエーテル型の側枝セグメントがグラフトされている、櫛形コポリマー型のコポリマー、
・骨格に沿って、交互のポリオキシエチレン型のセグメントとポリオキシプロピレン型のセグメント、または交互のポリオキシエチレン型のセグメントとポリオキシブチレン型のセグメント、または交互のポリエチレンのセグメントとポリオキシエチレンよりも疎水性の大きなポリエーテル型のセグメントを示す、ブロックコポリマー型のコポリマー
から選択されることを特徴とする、上記媒体。
【請求項１７】  請求項１〜１６のいずれか１項に記載の媒体であって、コポリマーが、
ポリアクリルアミド／ポリ（Ｎ−イソプロピルアクリルアミド）（ＰＡＭ−ＮＩＰＡＭ）；ポリビニルアルコール／ポリ（Ｎ−イソプロピルアクリルアミド）（ＰＶＡ−ＮＩＰＡＭ）、ポリオキシエチレン／ポリオキシプロピレン、ポリアクリルアミド／オキシエチレン−オキシプロピレンコポリマー、ポリアクリルアミド／ポリオキシプロピレン、ポリアクリル酸／ポリオキシプロピレン、ポリアクリル酸／オキシエチレン−オキシプロピレンコポリマー、ポリアクリル酸／ポリ（Ｎ−イソプロピルアクリルアミド）およびポリジメチルアクリルアミド／ポリ（Ｎ−イソプロピルアクリルアミド）（ＰＤＭＡＭ−ＮＩＰＡＭ）
から選択されることを特徴とする、上記媒体。
【請求項１８】  請求項１〜１７のいずれか１項に記載の媒体であって、媒体は、１５〜３０℃の温度Ｔ１での５０〜１，０００mPa.m-1.s-1（ＳＩ単位系）の粘性Ｖ１から、４０℃のオーダーまたはこれより高い温度Ｔ２でのＶ１よりも２〜５０倍大きい粘性Ｖ２まで移行すること、並びに
・３０，０００〜２，０００，０００の平均分子量、または主骨格に沿った１，０００〜６０，０００の原子数、
・２％〜２０％の、ＬＣＳＴを有するセグメントの重量比、および
・２，０００〜２０，０００の、ＬＣＳＴを有するセグメントの平均分子量、または３５〜３５０の、ＬＣＳＴを有するセグメントに沿った平均原子数
を有する５g/１００ml〜２０g/１００mlのコポリマーを含むことを特徴とする、上記媒体。
【請求項１９】  請求項１〜１７のいずれか１項に記載の媒体であって、媒体は、１５〜３０℃の温度Ｔ１での１００〜１０，０００mPa.m-1.s-1の粘性Ｖ１から、４０℃のオーダーまたはこれより高い温度Ｔ２でのＶ１よりも２〜１００倍大きい粘性Ｖ２まで移行すること、並びに
・５００，０００〜３，０００，０００の平均分子量、または主骨格に沿った７，０００〜９０，０００の原子数、
・２．５％〜１５％の、ＬＣＳＴを有するセグメントの重量比、および
・４，０００〜３０，０００の、ＬＣＳＴを有するセグメントの平均分子量、または６０〜６００の、ＬＣＳＴを有するセグメントに沿った平均原子数
を有する１g/１００ml〜８g/１００mlのコポリマーを含むことを特徴とする、上記媒体。
【請求項２０】  請求項１〜１７のいずれか１項に記載の媒体であって、１５〜３０℃の温度Ｔ１での１００〜１０，０００mPa.m-1.s-1（ＳＩ単位系）の粘性Ｖ１から、４０℃のオーダーまたはこれより高い温度Ｔ２でのＶ１よりも２〜１００倍大きい粘性Ｖ２まで移行すること、並びに
・５００，０００より大きい平均分子量、または主骨格に沿った７，０００より大きい原子数、
・２％〜１５％の、ＬＣＳＴを有するセグメントの重量比、および
・４，０００より大きい、ＬＣＳＴを有するセグメントの平均分子量またはセグメントに沿った９０より大きい、ＬＣＳＴを有する平均原子数
を有する０．１g/１００ml〜５g/１００mlのコポリマーを含むことを特徴とする、上記媒体。
【請求項２１】  該コポリマーが該媒体中に存在し、かつコポリマー濃度が２０g/１００ml未満であることを特徴とする、請求項１〜２０のいずれか１項に記載の媒体。
【請求項２２】  中性またはイオン性である、粒子、水溶性ポリマー、非熱増粘結合ポリマー、または界面活性剤を含む型のアジュバントをさらに含むことを特徴とする、請求項１〜２１のいずれか１項に記載の媒体。
【請求項２３】  分子種または巨大分子種、タンパク質、ポリペプチド、グリコペプチドおよび多糖類のような生物学的巨大分子、有機分子、合成巨大分子、または鉱物粒子、ラテックス、細胞もしくは細胞小器官のような粒子、から選択される種の分離または分析のための、請求項１〜２２のいずれか１項に記載の媒体の使用。
【請求項２４】  ＤＮＡの配列決定のための、請求項１〜２２のいずれか１項に記載の媒体の使用。
【請求項２５】  ５０，０００未満の分子量を有する分子、または１００個未満のヌクレオチドを含むオリゴヌクレオチド、または未変性もしくは変性タンパク質を分離するために、請求項１８に記載の媒体が使用されることを特徴とする、請求項２４に記載の使用。
【請求項２６】  ＤＮＡ配列の反応の産物、１，０００塩基対未満のＤＮＡ２本鎖、変性タンパク質または２０，０００〜１，０００，０００の分子量を有する合成もしくは天然ポリマーを分離するために、請求項１９に記載の媒体が使用されることを特徴とする、請求項２４または２５に記載の使用。
【請求項２７】  ５００塩基〜数百万の塩基対の大きさを有するＤＮＡ２本鎖、またはラテックス、細胞全体、染色体全体もしくは細胞小器官のような粒子を分離するために、請求項２０に記載の媒体が使用されることを特徴とする、請求項２４に記載の使用。
【請求項２８】  請求項２４〜２７のいずれか１項に記載の使用であって、以下の：
・分離すべき種の性状に従って該分離媒体を選択する工程；
・この媒体を電気泳動装置の分離チャネルに、その分離媒体を構成するのに十分な量で導入する工程（該分離チャネルは、温度Ｔ１の範囲の温度で維持される）；
・試料の導入の前または後のいずれかに、かなりの割合のチャネルを温度Ｔ２にする工程；
・ある量の試料を分離チャネルの入口に導入する工程；
・チャネルのサーモスタット調温部においてＴ２のオーダーの温度で分離を行う工程；そして
・当初試料中に含まれる分析物の泳動を検出する工程
を含むことを特徴とする、上記使用。
【請求項２９】  自動化電気泳動装置における、請求項１〜２２のいずれか１項に記載の媒体の使用。
【請求項３０】  マイクロ流体系における、請求項１〜２２のいずれか１項に記載の媒体の使用。
【請求項３１】  分離媒体として、請求項１〜２２のいずれか１項に記載の媒体を含むことを特徴とする、毛細管電気泳動装置。